(57)【要約】      （修正有）【課題】テンプルの角度を調整可能な眼鏡において、調整した状態のテンプルの角度を保つことができる眼鏡を提供する。【解決手段】眼鏡は、一対のテンプル４と、透光部２と、各テンプル４と透光部２とをつなぐ接続部３と、調整部材５とを備える。接続部３は、各テンプル４を使用位置と収納位置との間で上下軸３１回りに回転可能に支持する。調整部材５は、各テンプル４の接続部３に対する角度を調整する。テンプル４は、テンプル４が使用位置で、テンプル４の長手方向に突出部４２を有する。接続部３は、テンプル４が使用位置にある状態で、突出部４２に対向する部分である対向部を有する。調整部材５は被取付け部を有する。突出部４２及び対向部の一方に、被取付け部が取り付けられる取付け部が形成される。取付け部と被取付け部とのうちの一方が、スリットであり、他方が、スリットに入る突条である。【選択図】図１
2019204068.tif 000002
【特許請求の範囲】
【請求項１】
一対のテンプルと、
ユーザの目の前に配置される透光部と、
前記一対のテンプルの各々と前記透光部とをつなぎ、前記各テンプルを使用位置と収納位置との間で上下軸回りに回転可能に支持する接続部と、
前記一対のテンプルの少なくとも一方のテンプルの前記接続部に対する角度を調整する少なくとも１つの調整部材と、
を備え、
前記テンプルは、前記テンプルが前記使用位置にある状態で、前記テンプルの長手方向において前記上下軸よりも前記接続部側に突出した突出部を有し、
前記接続部は、前記テンプルが前記使用位置にある状態で前記突出部に対向する部分である対向部を有し、
前記突出部及び前記対向部の少なくとも一方に、前記調整部材に含まれる被取付け部が取り付けられる取付け部が形成され、
前記取付け部と前記被取付け部とのうちのいずれか一方が、前記上下軸回りの回転方向に交差する方向に延びる少なくとも１つのスリットであり、いずれか他方が、前記スリットに入る少なくとも１つの突条である、
眼鏡。
【請求項２】
一対のテンプルと、
ユーザの目の前に配置される透光部と、
前記一対のテンプルの各々と前記透光部とをつなぎ、前記各テンプルを使用位置と収納位置との間で上下軸回りに回転可能に支持する接続部と、
前記一対のテンプルの少なくとも一方のテンプルの前記接続部に対する角度を調整する少なくとも１つの調整部材と、
を備え、
前記接続部は、前記テンプルが前記使用位置にある状態で、前記テンプルの長手方向において前記上下軸よりも前記テンプル側に突出した突出部を有し、
前記テンプルは、前記テンプルが前記使用位置にある状態で前記突出部に対向する部分である対向部を有し、
前記突出部及び前記対向部の少なくとも一方に、前記調整部材に含まれる被取付け部が取り付けられる取付け部が形成され、
前記取付け部と前記被取付け部とのうちのいずれか一方が、前記上下軸回りの回転方向に交差する方向に延びる少なくとも１つのスリットであり、いずれか他方が、前記スリットに入る少なくとも１つの突条である、
眼鏡。
【請求項３】
前記スリットを複数備え、
前記複数のスリットは、前記回転方向に沿って間隔をおいて並んでいる、
請求項１又は請求項２の眼鏡。
【請求項４】
前記スリットは、前記調整部材における前記回転方向に沿う幅方向の中央からずれた位置に形成されている、
請求項１〜３のいずれか１つの眼鏡。
【請求項５】
前記スリットが前記調整部材に形成されている、
請求項１〜４のいずれか１つの眼鏡。
【請求項６】
前記調整部材が弾性体である、
請求項１〜５のいずれか１つの眼鏡。
【発明の詳細な説明】
【技術分野】
【０００１】  本発明は、眼鏡に関し、より詳しくは、一対のテンプルを有し、テンプルの角度を調整可能な眼鏡に関する。
【背景技術】
【０００２】  特許文献１には、従来の眼鏡が開示されている。特許文献１に記載の眼鏡は、一対のテンプルと、レンズを保持する玉枠と、玉枠の端部に取り付けられた金具と、金具に対し上下軸回りに回転可能に取り付けられたつる（テンプル）とを備えている。【０００３】  金具において、つるに対向する面には、調整ねじが設けられている。特許文献１に記載の眼鏡では、調整ねじを金具に対してねじ込んだり、緩めたりして、調整ねじのねじ込み寸法を変えることで、テンプルの角度を調整することができる。
【先行技術文献】
【特許文献】
【０００４】
【特許文献１】実開昭６２−３５３２１
【発明の概要】
【発明が解決しようとする課題】
【０００５】  しかしながら、特許文献１に係る眼鏡では、調整ねじのねじ込み寸法を変えることで、テンプルの角度を調整するため、調整ねじに対して繰り返し衝撃が加わると、調整ねじが緩んで、テンプルの角度が変わりやすいという問題がある。【０００６】  本発明は、上記事情に鑑みてなされ、テンプルの角度を調整可能な眼鏡において、調整した状態のテンプルの角度を保つことができる眼鏡を提供することを目的とする。
【課題を解決するための手段】
【０００７】  本発明に係る一態様の眼鏡は、一対のテンプルと、ユーザの目の前に配置される透光部と、前記一対のテンプルの各々と前記透光部とをつなぎ、前記各テンプルを使用位置と収納位置との間で上下軸回りに回転可能に支持する接続部と、前記一対のテンプルの少なくとも一方のテンプルの前記接続部に対する角度を調整する少なくとも１つの調整部材と、を備える。前記テンプルは、前記テンプルが前記使用位置にある状態で、前記テンプルの長手方向において前記上下軸よりも前記接続部側に突出した突出部を有する。前記接続部は、前記テンプルが前記使用位置にある状態で前記突出部に対向する部分である対向部を有する。前記突出部及び前記対向部の少なくとも一方に、前記調整部材に含まれる被取付け部が取り付けられる取付け部が形成される。前記取付け部と前記被取付け部とのうちのいずれか一方が、前記上下軸回りの回転方向に交差する方向に延びる少なくとも１つのスリットであり、いずれか他方が、前記スリットに入る少なくとも１つの突条である。【０００８】  本発明に係る一態様の眼鏡は、一対のテンプルと、ユーザの目の前に配置される透光部と、前記一対のテンプルの各々と前記透光部とをつなぎ、前記各テンプルを使用位置と収納位置との間で上下軸回りに回転可能に支持する接続部と、前記一対のテンプルの少なくとも一方のテンプルの前記接続部に対する角度を調整する少なくとも１つの調整部材と、を備える。前記接続部は、前記テンプルが前記使用位置にある状態で、前記テンプルの長手方向において前記上下軸よりも前記テンプル側に突出した突出部を有する。前記テンプルは、前記テンプルが前記使用位置にある状態で前記突出部に対向する部分である対向部を有する。前記突出部及び前記対向部の少なくとも一方に、前記調整部材に含まれる被取付け部が取り付けられる取付け部が形成される。前記取付け部と前記被取付け部とのうちのいずれか一方が、前記上下軸回りの回転方向に交差する方向に延びる少なくとも１つのスリットであり、いずれか他方が、前記スリットに入る少なくとも１つの突条である。
【発明の効果】
【０００９】  本発明の眼鏡は、テンプルの角度を調整可能な眼鏡において、調整した状態のテンプルの角度を保つことができる、という利点がある。
【図面の簡単な説明】
【００１０】
【図１】図１は、本発明の一実施形態に係る眼鏡の斜視図である。
【図２】図２は、同上の調整部材を取り付ける際の接続部及び突出部周辺の斜視図である。
【図３】図３Ａは、調整部材の側面図である。図３Ｂは、調整部材の平面図である。図３Ｃは、調整部材の正面図である。図３Ｄは、調整部材の背面図である。図３Ｅは、図３ＡのＡ−Ａ線断面図である。図３Ｆは、調整部材の斜視図である。図３Ｇは、調整部材の図３Ｆとは別の角度から見た斜視図である。
【図４】図４Ａ〜４Ｅは、同上の調整部材を用いてテンプルの角度調整を行なっている状態の断面図である。
【図５】図５は、変形例１の断面図である。
【図６】図６は、変形例２の断面図である。
【発明を実施するための形態】
【００１１】  （１）実施形態
（１．１）概要
本実施形態に係る眼鏡１は、図１に示すように、透光部２と、一対のテンプル４と、一対の接続部３と、調整部材５と、を備える。透光部２は、ユーザの目の前に配置される。接続部３は、透光部２と各テンプル４とをつなぎ、各テンプル４を使用位置と収納位置との間で上下軸３１回りに回転可能に支持する。
【００１２】  テンプル４は、図２に示すように、突出部４２を有する。突出部４２は、テンプル４の長手方向において、上下軸３１よりも接続部３側に突出する。接続部３は、突出部４２に対向する位置に形成された対向部３３を有する。本実施形態では、対向部３３及び突出部４２の少なくとも一方（本実施形態では対向部３３）に、調整部材５が取り付けられる取付け部６が形成されている。
【００１３】  調整部材５は、使用位置における接続部３に対するテンプル４の角度を調整する。調整部材５は取付け部６に取り付けられる被取付け部５１を有する。取付け部６と被取付け部５１とのうちのいずれか一方（本実施形態では被取付け部５１）は、スリット７であり、他方（本実施形態では取付け部６）は突条６１である。スリット７及び突条６１の長手方向は、回転軸回りの回転方向に交差する。
【００１４】  本実施形態に係る眼鏡１では、突条６１をスリット７に入れることで、調整部材５を取り付けることができる。調整部材５によって、対向部３３と突出部４２との間の寸法を変えることができるため、テンプル４の接続部３に対する角度を変えることができる。このとき、スリット７及び突条６１は、テンプル４の回転方向に交差する方向に延びるため、テンプル４を繰り返し回転させた時に、調整部材５に対して衝撃を受けても、調整部材５が動いてしまうのを抑えることができる。この結果、本実施形態に係る眼鏡１によれば、使用位置にあるテンプル４の角度を保つことができる。
ここで、本開示でいう「ユーザ」とは、眼鏡１を装着した者又は装着しようとする者をいう。
【００１５】  （１．２）詳細
以下、本実施形態に係る眼鏡１の具体的な構成について、詳細を説明する。
【００１６】  本実施形態に係る眼鏡１は、図１に示すように、透光部２と、一対のテンプル４と、一対の接続部３と、調整部材５と、を備える。ここで、本開示では、眼鏡１について、水平面に沿った方向（水平方向）を向いたユーザに対して装着された状態を基準にして説明する。ユーザの向く方向を「前方向」とし、前方向の反対方向を「後方向」とし、前方向及び後方向の双方向を「前後方向」という場合がある。また、前後方向に直交しかつ水平面に沿った方向（双方向）を「左右方向」とし、鉛直方向に平行な双方向を「上下方向」として定義する。
【００１７】  透光部２は、ユーザの目（両目）の前に配置されて光を通す部分である。ユーザは、本実施形態に係る眼鏡１を装着することで、透光部２を通した視界を得ることができる。透光部２は、一対の透光体２１と、各透光体２１を保持するリム２２と、一対のリム２２をつなぐブリッジ２３と、鼻当て２４と、を備える。
【００１８】  ここで、本実施形態に係る透光部２は、一対の透光体２１を備えるが、本開示では、両目に対応するように配置された１枚の透光体２１で構成されてもよい。また、本開示に係る透光部２は、リム２２を有していなくてもよく、透光体２１に対し、直接的に接続部３が取り付けられてもよい。
【００１９】  一対の透光体２１は、光を通す部材であり、要するに、透光性を有する。各透光体２１は、本実施形態では、透明な凸レンズで構成されている。各透光体２１は、正面から見て（以下、正面視）略円形状（ここでは、長円形状）に形成されている。ただし、透光体２１は、透明な凸レンズに限らず、凹レンズで構成されてもよいし、透光性を有していれば透明でなくてもよい。すなわち、透光体２１としては、サングラス等のように色付きのガラス（色ガラス）であってもよいし、また、視力を強制するレンズでなくてもよい。
【００２０】  リム２２は、各透光体２１に対し、当該透光体２１の外縁の全部又は一部（すなわち、少なくとも一部）に取り付けられて、当該透光体２１を保持する。リム２２は、本実施形態では、透光体２１の外縁の全周にわたって形成されている。リム２２は、例えば、金属製のワイヤ、又は合成樹脂等により構成される。
【００２１】  ブリッジ２３は、左右方向に離れて配置された一対の透光体２１同士をつなぐ部分である。ブリッジ２３は、本実施形態では、一対のリム２２をつなぐことで、一対の透光体２１同士をつないでいる。ブリッジ２３とリム２２は、一体であってもよいし、別体であってもよい。また、リム２２を有さない眼鏡１では、ブリッジ２３は、透光体２１に対し、直接的に取り付けられてもよい。
【００２２】  鼻当て２４は、ユーザの鼻梁に載り、透光部２を支持する部分である。鼻当て２４は、本実施形態では、一対のリム２２における互いに対向する部分に設けられている。鼻当て２４は、本実施形態では一対設けられており、一対の鼻当て２４は、左右方向に離れて配置されている。
【００２３】  接続部３は、透光部２と、各テンプル４とをつなぐ部分である。接続部３は、各テンプル４を使用位置と収納位置との間で上下軸３１回りに回転可能に支持する。接続部３は、本実施形態では、リム２２に対し、左右方向のうちの外側の端部に設けられた智であり、接続部３とリム２２とは一体である。一対の接続部３は、一対のテンプル４に対して一対一で接続されている。接続部３は、上方から見て（以下、平面視）Ｌ字状に形成されており、後方向の先端に、ヒンジ３２を介してテンプル４が取り付けられている。
【００２４】  ここで、本開示における「上下軸３１」とは、回転運動の中心となる一定直線であり、かつ長手方向が上下方向に沿った軸を意味する。上下軸３１は、本実施形態では、ヒンジ３２によって実現されている。本開示では、上下軸３１回りの方向を「回転方向」という。また、本開示でいう「使用位置」とは、ユーザが眼鏡１を耳にかける際の各テンプル４の位置を意味し、各テンプル４の長手方向が前後方向に沿った状態のことである。また、「収納位置」とは、眼鏡１をケース等に収納する際の各テンプル４の位置を意味し、各テンプル４が透光部２の後面に沿った状態のことである。
また、本開示でいう「沿う」とは、同一平面上の２直線（あるいは空間の２平面または１直線と１平面）が、平行である状態に加え、一方に対する他方のなす角が所定角度を有することも含まれる。例えば、本開示でいう「沿う」とは、同一平面上の２直線（あるいは空間の２平面または１直線と１平面）のうち、一方に対する他方の角度が、０°以上２０°以内を含む。
【００２５】  一対のテンプル４は、ユーザの耳に掛けられる部分である。一対のテンプル４がユーザの耳に掛けられ、鼻当て２４が鼻梁（本実施形態では鼻梁の上端部）に載ることで、眼鏡１はユーザに装着される。各テンプル４は、テンプル本体４１と、突出部４２と、モダン４３と、を備える。
【００２６】  テンプル本体４１は、テンプル４の主体を構成する部分である。テンプル４が使用位置にある状態で眼鏡１がユーザに装着されると、テンプル本体４１は、ユーザの側頭部に位置する。テンプル本体４１は、本実施形態では、線状（又は棒状）の金属材で構成される。ただし、本開示では、扁平な樹脂材であってもよく、形状や材質は特に限られない。
【００２７】  モダン４３は、ユーザの耳に掛けられる部分であり、テンプル本体４１の後方向の先端部に取り付けられる。モダン４３は、本開示では、シリコン等の合成樹脂，又はゴム等で構成される。ただし、モダン４３は、テンプル本体４１と別の素材でなくてもよく、例えば、テンプル本体４１の後方向の先端部を、耳の付け根の上部に沿って湾曲させただけの構造でもよい。
【００２８】  突出部４２は、本実施形態では、テンプル４が使用位置にある状態で、テンプル本体４１の長手方向において、上下軸３１よりも接続部３側に突出している。突出部４２は、本実施形態では、図２に示すように、テンプル本体４１に対して、上下幅及び厚さ（使用位置での左右方向の寸法）が同じであり、突出部４２とテンプル本体４１とは、一体である。また、突出部４２において、先端部４２１の厚さ方向の面のうちの接続部３側の面は膨出している。
【００２９】  突出部４２の先端部４２１において、膨出した面は、本実施形態では曲面状である。ただし、本開示では、突出部４２の先端部４２１は、曲面状でなくてもよい。また、本開示では、突出部４２の先端部４２１は、接続部３側に膨出していなくてもよく、テンプル本体４１と突出部４２とは一様な厚さであってもよい。一方で、本開示では、テンプル本体４１とは、互いに異なる幅及び厚さであってもよい。要するに、突出部４２の形状は特に限らない。また、本実施形態では、突出部４２とテンプル本体４１とは一体であるが、本開示では、別体であってもよい。
【００３０】  ここで、接続部３の少なくとも一部には、対向部３３が形成されている。対向部３３は、テンプル４が使用位置にある状態で、突出部４２に対向する部分である。対向部３３は、本実施形態では、接続部３の外側面（左右方向における外側の面）から凹んだ穴である。穴は、本実施形態では、左右方向に貫通しているが、貫通していなくてもよい。
【００３１】  対向部３３には、取付け部６が設けられている。取付け部６には、調整部材５の被取付け部５１が取外し可能に取り付けられる。取付け部６は、本実施形態では、対向部３３の内周面の少なくとも一部に形成された突条６１のことである。突条６１は、対向部３３の内周面に沿って形成されている。突条６１は、本実施形態では、対向部３３の内周面の前部から、対向部３３の内側に向かって突出しており、Ｕ字状に形成されている。図４Ａに示すように、調整部材５が取り付けられていない状態で、テンプル４が使用位置にまで回転すると、突出部４２の先端部４２１は、突条６１に当たる。
【００３２】  調整部材５は、接続部３とテンプル４との間に少なくとも一部が挟まれて、使用位置にあるテンプル４の接続部３に対する角度を調整する部材である。調整部材５は、本実施形態では、一対の接続部３の両方に対して取り付けられている。ただし、本開示では、調整部材５は、一対の接続部３のうちの一方のみに取り付けられていてもよい。以下では、テンプル４が使用位置にあることを前提に説明する。
【００３３】  調整部材５は、本実施形態では弾性体である。弾性体は、本実施形態では、軟質樹脂により構成されるが、本開示では、例えば、軟質樹脂，不織布，又はゴム等が例示される。調整部材５は、図３Ａ〜３Ｇに示すように、ブロック状に形成されている。調整部材５は、本実施形態では、第一面５２と、第二面５３と、第一外側面５４と、第二外側面５５と、少なくとも１つの被取付け部５１とを備える。
【００３４】  第一面５２は、調整部材５において一方向を向く面である。第一面５２の前端部は、前方向に行くに従って上下方向における第二面５３側に位置するように傾斜している。第一面５２の前方向の先端は、本実施形態では第二面５３につながっている。第二面５３は、調整部材５において、第一面５２とは反対側に位置する面であり、第一面５２とは異なる方向を向いている。第二面５３の前端部は、前方向に行くに従って上下方向における第一面５２側に位置するように傾斜している。
【００３５】  本実施形態では、第一面５２及び第二面５３は、水平面に対して傾斜しているが、本開示では、水平面に平行であってもよい。すなわち、調整部材５は、直方体又は立方体であってもよい。
【００３６】  第一外側面５４は、調整部材５において、左右方向の一方の面である。第一外側面５４の中央部は凹んでいる。第二外側面５５は、調整部材５において、左右方向の他方の面である。第二外側面５５の中央部も、第一外側面５４と同様に、凹んでいる。調整部材５が取付け部６に取り付けられると、第一外側面５４又は第二外側面５５が、対向部３３に対向する。
【００３７】  被取付け部５１は、取付け部６に対して取り付けられる部分である。被取付け部５１は、本実施形態では、突条６１が差し入れられる（入る）スリット７である。本実施形態では、調整部材５は、左右方向に沿って間隔をおいて形成された複数のスリット７を備える。調整部材５は、複数のスリット７として、第一スリット７１７と、第二スリット７２７とを備える。第一スリット７１は、複数のスリット７のうちの最も第一外側面５４に近いスリット７であり、第二スリット７２は、第一スリット７１よりも第二外側面５５側に形成されたスリット７である。第一スリット７１と第二スリット７２とは互いにに平行である。
【００３８】  第一スリット７１及び第二スリット７２は、調整部材５の左右方向（つまり、回転方向に沿った方向）の中央から左右方向にずれている。また、第一スリット７１及び第二スリット７２は、本実施形態では、第一面５２と第二面５３とに亘って連続している。第一スリット７１及び第二スリット７２の各々の長手方向は、図２に示すように、回転方向に対して交差している。要するに、スリット７は、回転方向に対して交差する方向に延びている。具体的には、本実施形態では、スリット７は、テンプル４の回転方向に対して直交している。
【００３９】  このように、本実施形態では、スリット７及び突条６１は、回転方向に沿った方向に対して交差しているため、調整部材５に対して、回転方向に繰り返し外力が掛かっても、突条６１とスリット７とがずれにくい。この結果、一旦、調整したテンプル４の角度を保つことができる。
【００４０】  また、調整部材５は、少なくとも第一スリット７１と第二スリット７２とを備える。図３Ｄに示すように、第一スリット７１と第一外側面５４との間は寸法ｂであり、第二スリット７２と第一外側面５４との間は寸法ｃである。このため、第一スリット７１及び第二スリット７２のうち、第一スリット７１に突条６１を入れると、第一外側面５４と突出部４２との間が寸法ｂとなる。一方、第二スリット７２に突条６１を入れると、突条６１と突出部４２の間が寸法ｂよりも長い寸法ｃとなる。このため、本実施形態に係る眼鏡では、複数のスリット７を備えることで、図４Ｂと図４Ｃに示すように、テンプル４の角度を段階的に変えることができる。
【００４１】  また、図３Ｄに示すように、第一スリット７１と第二外側面５５との間は寸法ａであり、第二スリット７２と第二外側面５５との間は寸法ｄである。このため、調整部材５において、突出部４２に対向する面を第一外側面５４から第二外側面５５に入れ替えると（上を向く面を第一面５２から第二面５３に入れ替えると）、図４Ｄ，４Ｅに示すように、突条６１と突出部４２との間の寸法を、寸法ａと寸法ｄとで選択することができる。すなわち、本実施形態に係る調整部材５では、スリット７が、左右方向の中央からずれているため、調整部材５の左右方向の両面５４，５５を入れ替えることで、図４Ｄと図４Ｅに示すように、テンプル４の角度を複数段階で変えることができる。この結果、本実施形態に係る調整部材５では、接続部３に対するテンプル４の角度を、４段階（調整部材５を取り付けない場合を含めると５段階）で調節可能である。
【００４２】  （２）変形例
以上説明した実施形態に係る眼鏡１は、本開示の一例に過ぎない。以下、本開示に係る眼鏡１の変形例を説明する。以下のいくつかの変形例と上記実施形態とは適宜組み合わせて用いることができる。
【００４３】  （２．１）変形例１
上記実施形態に係る取付け部６は対向部３３に形成されたが、図５に示すように、突出部４２に形成されてもよい。突出部４２には、取付け部６として、突条６１が設けられている。突出部４２には、テンプル４が使用位置にある状態において、左右方向に貫通する貫通孔４４が形成されている。突条６１は、貫通孔４４の内周面から内側に向かって突出している。
【００４４】  対向部３３は、底部３５１を有する凹部３５である。底部３５１の厚み方向のうちのテンプル４側の面は、突出部４２に取り付けられた調整部材５の第一外側面５４又は第二外側面５５が対向する。
【００４５】（２．２）変形例２
変形例２に係る眼鏡１は、図６に示すように、突出部４２が接続部３に形成され、対向部３３がテンプル４に形成されている点で上記実施形態とは異なる。本変形例に係る接続部３は、接続部本体３４と、突出部４２とを備える。接続部本体３４は、上記実施形態における接続部３である。
【００４６】  突出部４２は、本変形例では、テンプル４が使用位置にある状態で、接続部本体３４の後方向の先端から、テンプル４の長手方向において、上下軸３１よりもテンプル４側（要するに、後方向）に突出している。突出部４２は、接続部本体３４に対して、上下幅及び厚さ（左右方向の寸法）が同じであり、突出部４２と接続部本体３４とは、一体である。
【００４７】  対向部３３は、テンプル４の一部に形成されている。対向部３３は、テンプル４が使用位置にある状態で、突出部４２に対向する部分である。対向部３３は、本変形例では、テンプル４の外側面（左右方向における外側の面）から凹んだ凹部４５である。凹部４５は底面を有する。取付け部６は、突出部４２に形成されている。取付け部６は、本変形例では、突条６１である。
【００４８】  （２．３）その他の変形例
以下、上述した変形例とは別の変形例を列挙する。
上記変形例２では、突出部４２が接続部３に形成され、対向部３３がテンプル４に形成されており、取付け部６が突出部４２に形成されたが、本開示では、取付け部６は、対向部３３に形成されてもよい。この場合、取付け部６に取り付けられた調整部材５は、テンプル４が使用位置にある状態では、突出部４２に当たる。
【００４９】  上記実施形態及び変形例１，２では、取付け部６が突条６１であり、被取付け部５１がスリット７であったが、本開示では、取付け部６をスリット７とし、被取付け部５１を突条６１としてもよい。
【００５０】  上記実施形態及び変形例１，２では、調整部材５が２つのスリット７を有していたが、本開示では、１つのスリット７のみを有してもよいし、３つ以上のスリット７を有してもよい。
【００５１】  上記実施形態及び変形例では、接続部３が智で構成されたが、本開示では、接続部３は、智から後ろ方向に突出した金具によって構成されてもよい。
【００５２】  （３）態様
以上説明したように、第１の態様の眼鏡１は、一対のテンプル４と、ユーザの目の前に配置される透光部２と、各テンプル４と透光部２とをつなぐ接続部３と、少なくとも１つの調整部材５とを備える。接続部３は、各テンプル４を使用位置と収納位置との間で上下軸３１回りに回転可能に支持する。調整部材５は、一対のテンプル４の少なくとも一方のテンプル４の接続部３に対する角度を調整する。テンプル４は、テンプル４が使用位置にある状態で、テンプル４の長手方向において上下軸３１よりも接続部３側に突出した突出部４２を有する。接続部３は、テンプル４が使用位置にある状態で、突出部４２に対向する部分である対向部３３を有する。突出部４２及び対向部３３の少なくとも一方に、調整部材５に含まれる被取付け部５１が取り付けられる取付け部６が形成される。取付け部６と被取付け部５１とのうちのいずれか一方が、上下軸３１回りの回転方向に交差する方向に延びる少なくとも１つのスリット７であり、いずれか他方が、スリット７に入る少なくとも１つの突条６１である。
【００５３】  この態様によれば、突条６１をスリット７に入れることで、調整部材５を取り付けることができる。調整部材５によって、対向部３３と突出部４２との間の寸法を変えることができるため、テンプル４の接続部３に対する角度を変えることができる。このとき、スリット７及び突条６１は、テンプル４の回転方向に交差する方向に延びるため、テンプル４を繰り返し回転させた時に衝撃を受けても、調整部材５が動いてしまうのを抑えることができる。この結果、本実施形態に係る眼鏡１によれば、使用位置にあるテンプル４の角度を保つことができる。
【００５４】  第２の態様の眼鏡１は、一対のテンプル４と、ユーザの目の前に配置される透光部２と、各テンプル４と透光部２とをつなぐ接続部３と、少なくとも１つの調整部材５とを備える。接続部３は、各テンプル４を使用位置と収納位置との間で上下軸３１回りに回転可能に支持する。調整部材５は、一対のテンプル４の少なくとも一方のテンプル４の接続部３に対する角度を調整する。接続部３は、テンプル４が使用位置にある状態で、テンプル４の長手方向において上下軸３１よりもテンプル４側に突出した突出部４２を有する。テンプル４は、テンプル４が使用位置にある状態で突出部４２に対向する部分である対向部３３を有する。突出部４２及び対向部３３の少なくとも一方に、調整部材５に含まれる被取付け部５１が取り付けられる取付け部６が形成される。取付け部６と被取付け部５１とのうちのいずれか一方が、上下軸３１回りの回転方向に交差する方向に延びる少なくとも１つのスリット７であり、いずれか他方が、スリット７に入る少なくとも１つの突条６１である。
【００５５】  この態様によれば、調整部材５を取り付けることで、テンプル４の接続部３に対する角度を変えることができる。スリット７及び突条６１は、テンプル４の回転方向に交差する方向に延びるため、使用位置にあるテンプル４の角度を保つことができる。
【００５６】  第３の態様の眼鏡１では、第１又は第２の態様において、スリット７を複数備える。複数のスリット７は、回転方向に沿って間隔をおいて並んでいる。
この態様によれば、１つの調整部材５で、テンプル４を複数段階で調整することができる。
【００５７】  第４の態様の眼鏡１では、第１〜第３のいずれかの１つの態様において、スリット７は、調整部材５における回転方向に沿う幅方向の中央からずれた位置に形成されている。
この態様によれば、調整部材５を、左右方向の面を入れ替えるようにひっくり返すことで、対向部３３と突出部４２との間の寸法を変えることができ、テンプル４の角度を複数段階で変えることができる。
【００５８】  第５の態様の眼鏡１では、第１〜第４のいずれか１つの態様において、スリット７が調整部材５に形成されている。
この態様によれば、スリット７を作りやすく、製造性がよい。
【００５９】  第６の態様の眼鏡１では、第１〜第５のいずれか１つの態様において、調整部材５が弾性体である。
この態様によれば、ユーザの頭部のサイズに合わせて、調整部材５が弾性変形するため、テンプル４が頭部に与える力が適切な力となる。この結果、テンプル４によって、ユーザが、頭部を締めつけられて痛みを感じるのを抑えることができる。
【００６０】  ただし、第２〜第６の態様は、本発明においては、必須の構成ではなく、適宜選択して採用することができる。
【符号の説明】
【００６１】  １        眼鏡
２        透光部
２１      透光体
３        接続部
３１      上下軸
３３      対向部
４        テンプル
４２      突出部
５        調整部材
５１      被取付け部
６        取付け部
６１      突条
７        スリット
【図１】
2019204068.tif 000003
【図２】
2019204068.tif 000004
【図３】
2019204068.tif 000005
【図４】
2019204068.tif 000006
【図５】
2019204068.tif 000007
【図６】
2019204068.tif 000008